(57)【要約】【課題】キッチンのシンクまわりで使用する水切り収納装置の機能展開を図ることにより、調理作業の効率と快適性を向上する。【解決手段】厨房装置のワークトップ６に配設したシンク１のデッキ部８上面に設けた係合ピン４と、外周上部に取付枠５を設けた水切り収納体２と、底部外辺に挟持片７を設けた補助収納体３を備え、前記水切り収納体２は取付枠５を前記係合ピン４に係合しシンク１内壁面に着脱自在に垂設可能とし、前記ワークトップ６上面に載置した前記補助収納体３の前記挟持片７を前記デッキ部８上面と前記取付枠５とで挟持する構成の水切り収納装置【選択図】　図１
2004065556.tif 000002
【特許請求の範囲】
【請求項１】
厨房装置のワークトップに配設したシンクのデッキ部上面に設けた係合ピンと、外周上部に取付枠を設けた水切り収納体と、底部外辺に挟持片を設けた補助収納体を備え、前記水切り収納体は取付枠を前記係合ピンに係合しシンク内壁面に着脱自在に垂設可能とし、前記ワークトップ上面に載置した前記補助収納体の前記挟持片を前記デッキ部上面と前記取付枠とで挟持する構成の水切り収納装置
【請求項２】
複数の補助収納体を備え選択が可能な請求項１記載の水切り収納装置
【請求項３】
補助収納体の挟持片の外面部が軟質部材で構成した請求項１および２に記載の水切り収納装置
【請求項４】
前記収納体単独で前記係合ピンに係合しシンク内壁面に垂設し使用可能な請求項１〜３に記載の水切り収納装置
【発明の詳細な説明】
【０００１】
【発明の属する技術分野】
本発明はシステムキッチンのシンクまわりで使用する水切り収納装置に関するものである。
【０００２】
【従来の技術】
従来、この種水切り収納装置は、例えば、図４示すようなものがあった。
【０００３】
図４において、１はキッチンのシンク、２は水切り収納体、３は補助収納体で、水切り収納体２には洗剤やスポンジ等のシンクまわりで使用するものを収納し、補助収納体３には石けん等の小物を収納するものである。
【０００４】
【発明が解決しようとする課題】
しかしながら、前記従来の構成では、補助収納体は収納体の上部に載置してあるだけのため、安定性が悪く、大きな物や背の高い物等は収納できないという課題を有していた。
【０００５】
本発明は、前記従来の課題を解決するもので、キッチンのシンクまわりで使用する水切り収納装置の機能展開を図ることにより、調理作業の効率と快適性を向上することを目的とする。
【０００６】
【課題を解決するための手段】
前記従来の課題を解決するために、本発明の水切り収納装置は、厨房装置のワークトップに配設したシンクのデッキ部上面に設けた係合ピンと、外周上部に取付枠を設けた水切り収納体と、底部外辺に挟持片を設けた補助収納体を備え、前記水切り収納体は取付枠を前記係合ピンに係合しシンク内壁面に着脱自在に垂設可能とし、前記ワークトップ上面に載置した前記補助収納体の前記挟持片を前記デッキ部上面と前記取付枠とで挟持する構成としたものである。
【０００７】
これによって、シンク内壁に垂設した水切り収納体で、ワークトップ上に載置した補助収納体を容易に移動しないように固定できるものとなる。
【０００８】
【発明の実施の形態】
請求項１に記載の発明は厨房装置のワークトップに配設したシンクのデッキ部上面に設けた係合ピンと、外周上部に取付枠を設けた水切り収納体と、底部外辺に挟持片を設けた補助収納体を備え、前記水切り収納体は取付枠を前記係合ピンに係合しシンク内壁面に着脱自在に垂設可能とし、前記ワークトップ上面に載置した前記補助収納体の前記挟持片を前記デッキ部上面と前記取付枠とで挟持する構成とすることにより、シンク内壁に垂設した水切り収納体で、ワークトップ上に載置した補助収納体を容易に移動しないように固定するものとなり、重量物や寸法の大きい特に高さの高い収納物を安定して収納することができるとともに、従来あまり活用しなかったシンク後部のワークトップ面が活用することができる。
【０００９】
請求項２に記載の発明は複数の補助収納体を備え選択が可能な水切り収納装置とすることにより、収納目的により、形態の違う補助収納体を複数準備し、目的に合わせて選択して使用することが可能となり、使用者の好みや、使用条件に対応して補助収納機能を選択できるため、使い勝手を向上することができる。
【００１０】
請求項３に記載の発明は補助収納体の挟持片の外面部が軟質部材で構成とすることにより、挟持片の軟質部材を介して補助収納体を挟持することとなり、補助収納体が確実に固定でき、収納物の出し入時の振動や衝撃で移動することが防止できるとともに、シンクデッキ部への傷つきを防止することができる。
【００１１】
請求項４に記載の発明は前記収納体単独で前記係合ピンに係合しシンク内壁面に垂設し使用可能とすることにより、補助収納体を使用しないで、収納体単独でも安定して使用できることとなり、使用者の好みや、使用条件に合わせて広い範囲で収納機能の選択できる、使い勝手が向上することができる。
【００１２】
【実施例】
以下本発明の実施例について、図面を参照しながら説明する。
【００１３】
（実施例１）
図１は本発明の実施例１の外観斜視図を示す。
【００１４】
図１において、１はキッチンのシンクでその後部左右にはデッキ部８が形成されている、２は線材を加工して作られた水切り収納体、３は線材を加工して作られた補助収納体、４は係合ピンで、大径部と小径部で構成され前記デッキ部８に固着されている。水切り収納体２の外周上部には取付枠５が設けてあり、係合ピン４の小径部４に係合しシンク内壁面に着脱自在に垂設されている。ワークトップ６上面に載置した補助収納体３の挟持片７は、デッキ部８上面と取付枠５とで挟持し、容易に移動しないように固定されている。
【００１５】
以上のように構成された水切り収納装置について、以下その動作、作用を説明する。
【００１６】
水切り収納体２には洗剤やスポンジなどのシンクまわりで使用する小物類を収納して使用し、補助収納体３には、図１に示すようにまな板９を収納して使用することができる。
【００１７】
以上のように、本実施例においては、補助収納体を安定して設置できることから、重量が重く、サイズも大きいまな板を安定して収納できる。
【００１８】
（実施例２）
図２は本発明の実施例２の外観斜視図を示す。本実施例２において、線材を加工して作られた補助収納体３は上部がふきん１０掛けて使用できる形状に形成されており、下部には実施例１と同様に挟持片７を備えている。
【００１９】
なお、実施例１と同一符号のものは同一構造を有し、説明は省略する。このように、本実施例においては補助収納体にはふきん１０を掛けて使用することができ、実施例１と併用することにより、収納機能の選択が可能となり、使い勝手が向上する。
【００２０】
（実施例３）
図３は本発明の実施例３の外観斜視図を示す。
本実施例３において、水切り収納体２は補助収納体３を使用しない状態で、係合ピン４に単独で安定して契合できる構成である。
【００２１】
なお、実施例１と同一符号のものは同一構造を有し、説明は省略する。
【００２２】
このように、実施例１または２と異なる点は水切り収納体２単独で使用可能なことであり、収納機能の選択性の幅をより拡大することにより使い勝手が向上する。
【００２３】
【発明の効果】
以上のように、請求項１から４のいずれか一項記載の発明によれば、補助収納体が固定できるため、重量物や寸法の大きい特に高さの高い収納物を安定して収納することができるとともに、従来あまり活用しなかったシンク後部のワークトップ面が活用することができる。
【図面の簡単な説明】
【図１】本発明の実施例１における水切り収納装置の外観を示す斜視図
【図２】本発明の実施例２における水切り収納装置の外観を示す斜視図
【図３】本発明の実施例３における水切り収納装置の外観を示す斜視図
【図４】本発明の従来例における水切り収納装置の外観を示す斜視図
【符号の説明】
１　シンク
２　水切り収納体
３　補助収納体
４　係合ピン
５　取付枠
６　ワークトップ
７　挟持片
８　デッキ部
【図１】
2004065556.tif 000003
【図２】
2004065556.tif 000004
【図３】
2004065556.tif 000005
【図４】
2004065556.tif 000006